【手続補正書】
【提出日】平成17年3月16日(2005.3.16)
【手続補正１】
【補正対象書類名】明細書
【補正対象項目名】特許請求の範囲
【補正方法】変更
【補正の内容】
【特許請求の範囲】
【請求項１】
画像データを記憶する画像データ記憶手段と、前記画像データに対する加工方法を決定する加工情報を記憶する加工情報記憶手段と、前記画像データ記憶手段に記憶された画像データを前記加工情報に対応する加工方法で加工して加工画像データを作成する画像データ加工手段と、前記加工画像データを外部へ送信する送信手段とを有することを特徴とする画像処理装置。
【請求項２】
外部からの要求に応じて、前記送信手段が前記画像データを外部へ送信することを特徴とする請求項１記載の画像処理装置。
【請求項３】
原稿を読み取って前記画像データを生成する画像データ生成手段を有することを特徴とする請求項１又は２記載の画像処理装置。
【請求項４】
前記加工画像データをプリントするプリント手段を有することを特徴とする請求項１〜３の何れかに記載の画像処理装置。
【請求項５】
前記加工情報記憶手段は、加工画像データを送信する送信先を示す情報と加工情報とを対応付けて記憶していることを特徴とする請求項１〜４の何れかに記載の画像処理装置。
【請求項６】
外部装置から送信された前記加工情報を受信する受信手段を有し、前記加工情報記憶手段は、前記外部装置から送信された前記加工情報と当該加工情報の送信元となる前記外部装置の送信先を示す情報とを対応付けて記憶することを特徴とする請求項１〜４の何れかに記載の画像処理装置。
【請求項７】
外部装置から送信された前記加工情報と前記外部装置に対応する送信先を示す情報を受信する受信手段を有し、前記加工情報記憶手段は、前記外部装置から送信された前記加工情報と前記送信先を示す情報を対応付けて記憶することを特徴とする請求項１〜４の何れかに記載の画像処理装置。
【請求項８】
前記送信先を示す情報に基づいて、前記送信手段は前記加工画像データを外部に送信することを特徴とする請求項５〜７の何れかに記載の画像処理装置。
【請求項９】
前記加工方法は、前記加工画像データのデータサイズが前記画像データのデータサイズより小さくなる加工であることを特徴とする請求項１〜８の何れかに記載の画像処理装置。
【請求項１０】
前記加工方法は、前記画像データを圧縮するものであることを特徴とする請求項９記載の画像処理装置。
【請求項１１】
前記加工方法は、前記画像データの一部を抽出するものであることを特徴とする請求項９記載の画像処理装置。
【請求項１２】
前記加工方法は、前記画像データに基づく画像の解像度を下げるものであることを特徴とする請求項９又は１０記載の画像処理装置。
【請求項１３】
外部装置と、画像処理装置と、該外部装置と該画像処理装置とを接続する接続手段とを有する画像処理システムであって、
前記画像処理装置は、画像データを記憶する画像データ記憶手段と、前記画像データに対する加工方法を決定する加工情報を記憶する加工情報記憶手段と、前記画像データ記憶手段に記憶された画像データを前記加工情報に対応する加工方法で加工して加工画像データを作成する画像データ加工手段と、前記加工画像データを前記外部装置へ送信する送信手段とを有することを特徴とする画像処理システム。
【請求項１４】
前記外部装置は、前記画像データの送信を要求する画像データ送信要求手段を有し、前記画像処理装置は、前記外部装置からの要求に応じて、前記画像データを該外部装置へ送信することを特徴とする請求項１３記載の画像処理システム。
【請求項１５】
前記画像処理装置は、原稿を読み取って前記画像データを生成する画像データ生成手段を有することを特徴とする請求項１３又は１４記載の画像処理システム。
【請求項１６】
前記画像処理装置は、前記加工画像データをプリントするプリント手段を有することを特徴とする請求項１３〜１５の何れかに記載の画像処理システム。
【請求項１７】
前記加工情報記憶手段は、加工画像データを送信する送信先を示す情報と加工情報とを対応付けて記憶していることを特徴とする請求項１３〜１６の何れかに記載の画像処理システム。
【請求項１８】
前記画像処理装置は、外部装置から送信された前記加工情報を受信する受信手段を有し、前記加工情報記憶手段は、外部装置から送信された前記加工情報と当該加工情報の送信元となる前記外部装置の送信先を示す情報とを対応付けて記憶することを特徴とする請求項１３〜１６の何れかに記載の画像処理システム。
【請求項１９】
前記画像処理装置は、前記外部装置から送信された前記加工情報と前記外部装置に対応する送信先を示す情報を受信する受信手段を有し、前記加工情報記憶手段は、前記外部装置から送信された前記加工情報と前記送信先を示す情報を対応付けて記憶することを特徴とする請求項１３〜１６の何れかに記載の画像処理システム。
【請求項２０】
前記送信先を示す情報に基づいて、前記画像処理装置は前記加工画像データを外部へ送信することを特徴とする請求項１７〜１９の何れかに記載の画像処理システム。
【請求項２１】
前記加工方法は、前記加工画像データのデータサイズが前記画像データのデータサイズより小さくなる加工であることを特徴とする請求項１３〜２０の何れかに記載の画像処理システム。
【請求項２２】
前記加工方法は、前記画像データを圧縮するものであることを特徴とする請求項２１記載の画像処理システム。
【請求項２３】
前記加工方法は、前記画像データの一部を抽出するものであることを特徴とする請求項２１記載の画像処理システム。
【請求項２４】
前記加工方法は、前記画像データに基づく画像の解像度を下げるものであることを特徴とする請求項２１又は２２記載の画像処理システム。
【請求項２５】
外部装置と、画像処理装置と、サーバと、該外部装置、該画像処理装置及びサーバを接続する接続手段とを有する画像処理システムであって、
前記画像処理装置は、画像データを記憶する画像データ記憶手段と、前記画像データに対する加工方法を決定する加工情報を記憶する加工情報記憶手段と、前記画像データ記憶手段に記憶された画像データを前記加工情報に対応する加工方法で加工して加工画像データを作成する画像データ加工手段と、前記加工画像データを前記サーバへ送信する送信手段とを有し、前記サーバは、前記加工画像データを記憶する加工画像データ記憶手段を有することを特徴とする画像処理システム。
【請求項２６】
前記外部装置は、前記サーバに記憶された画像データを確認する画像データ確認手段を有することを特徴とする請求項２５記載の画像処理システム。
【請求項２７】
前記外部装置は、画像データの送信を要求する画像データ送信要求手段を有し、前記画像処理装置は、外部装置から画像データの送信の要求に基づいて前記送信手段により当該画像データを当該外部装置へ送信することを特徴とする請求項２５又は２６記載の画像処理システム。
【請求項２８】
前記画像処理装置は、原稿を読み取って前記画像データを生成する画像データ生成手段を有することを特徴とする請求項２５〜２７の何れかに記載の画像処理システム。
【請求項２９】
前記画像処理装置は、前記加工画像データをプリントするプリント手段を有することを特徴とする請求項２５〜２８の何れかに記載の画像処理システム。
【請求項３０】
前記加工方法は、前記加工画像データのデータサイズが前記画像データのデータサイズより小さくなる加工であることを特徴とする請求項２５〜２９の何れかに記載の画像処理システム。
【請求項３１】
前記加工方法は、前記画像データを圧縮するものであることを特徴とする請求項３０記載の画像処理システム。
【請求項３２】
前記加工方法は、前記画像データの一部を抽出するものであることを特徴とする請求項３０記載の画像処理システム。
【請求項３３】
前記加工方法は、前記画像データに基づく画像の解像度を下げるものであることを特徴とする請求項３０又は３１記載の画像処理システム。
【手続補正２】
【補正対象書類名】明細書
【補正対象項目名】００１０
【補正方法】変更
【補正の内容】
【００１０】
（請求項１）画像データを記憶する画像データ記憶手段と、前記画像データに対する加工方法を決定する加工情報を記憶する加工情報記憶手段と、前記画像データ記憶手段に記憶された画像データを前記加工情報に対応する加工方法で加工して加工画像データを作成する画像データ加工手段と、前記加工画像データを外部へ送信する送信手段とを有することを特徴とする画像処理装置。
（請求項２）外部からの要求に応じて、前記送信手段が前記画像データを外部へ送信することを特徴とする請求項１記載の画像処理装置。
【手続補正３】
【補正対象書類名】明細書
【補正対象項目名】００１１
【補正方法】変更
【補正の内容】
【００１１】
（請求項３）原稿を読み取って前記画像データを生成する画像データ生成手段を有することを特徴とする請求項１又は２記載の画像処理装置。
（請求項４）前記加工画像データをプリントするプリント手段を有することを特徴とする請求項１〜３の何れかに記載の画像処理装置。
【手続補正４】
【補正対象書類名】明細書
【補正対象項目名】００１２
【補正方法】変更
【補正の内容】
【００１２】
（請求項５）前記加工情報記憶手段は、加工画像データを送信する送信先を示す情報と加工情報とを対応付けて記憶していることを特徴とする請求項１〜４の何れかに記載の画像処理装置。
（請求項６）外部装置から送信された前記加工情報を受信する受信手段を有し、前記加工情報記憶手段は、前記外部装置から送信された前記加工情報と当該加工情報の送信元となる前記外部装置の送信先を示す情報とを対応付けて記憶することを特徴とする請求項１〜４の何れかに記載の画像処理装置。
【手続補正５】
【補正対象書類名】明細書
【補正対象項目名】００１３
【補正方法】変更
【補正の内容】
【００１３】
（請求項７）外部装置から送信された前記加工情報と前記外部装置に対応する送信先を示す情報を受信する受信手段を有し、前記加工情報記憶手段は、前記外部装置から送信された前記加工情報と前記送信先を示す情報を対応付けて記憶することを特徴とする請求項１〜４の何れかに記載の画像処理装置。
（請求項８）前記送信先を示す情報に基づいて、前記送信手段は前記加工画像データを外部に送信することを特徴とする請求項５〜７の何れかに記載の画像処理装置。
【手続補正６】
【補正対象書類名】明細書
【補正対象項目名】００１４
【補正方法】変更
【補正の内容】
【００１４】
（請求項９）前記加工方法は、前記加工画像データのデータサイズが前記画像データのデータサイズより小さくなる加工であることを特徴とする請求項１〜８の何れかに記載の画像処理装置。
（請求項１０）前記加工方法は、前記画像データを圧縮するものであることを特徴とする請求項９記載の画像処理装置。
【手続補正７】
【補正対象書類名】明細書
【補正対象項目名】００１５
【補正方法】変更
【補正の内容】
【００１５】
（請求項１１）前記加工方法は、前記画像データの一部を抽出するものであることを特徴とする請求項９記載の画像処理装置。
（請求項１２）前記加工方法は、前記画像データに基づく画像の解像度を下げるものであることを特徴とする請求項９又は１０記載の画像処理装置。
【手続補正８】
【補正対象書類名】明細書
【補正対象項目名】００１６
【補正方法】変更
【補正の内容】
【００１６】
（請求項１３）外部装置と、画像処理装置と、該外部装置と該画像処理装置とを接続する接続手段とを有する画像処理システムであって、
前記画像処理装置は、画像データを記憶する画像データ記憶手段と、前記画像データに対する加工方法を決定する加工情報を記憶する加工情報記憶手段と、前記画像データ記憶手段に記憶された画像データを前記加工情報に対応する加工方法で加工して加工画像データを作成する画像データ加工手段と、前記加工画像データを前記外部装置へ送信する送信手段とを有することを特徴とする画像処理システム。
（請求項１４）前記外部装置は、前記画像データの送信を要求する画像データ送信要求手段を有し、前記画像処理装置は、前記外部装置からの要求に応じて、前記画像データを該外部装置へ送信することを特徴とする請求項１３記載の画像処理システム。
【手続補正９】
【補正対象書類名】明細書
【補正対象項目名】００１７
【補正方法】変更
【補正の内容】
【００１７】
（請求項１５）前記画像処理装置は、原稿を読み取って前記画像データを生成する画像データ生成手段を有することを特徴とする請求項１３又は１４記載の画像処理システム。
（請求項１６）前記画像処理装置は、前記加工画像データをプリントするプリント手段を有することを特徴とする請求項１３〜１５の何れかに記載の画像処理システム。
【手続補正１０】
【補正対象書類名】明細書
【補正対象項目名】００１８
【補正方法】変更
【補正の内容】
【００１８】
（請求項１７）前記加工情報記憶手段は、加工画像データを送信する送信先を示す情報と加工情報とを対応付けて記憶していることを特徴とする請求項１３〜１６の何れかに記載の画像処理システム。
（請求項１８）前記画像処理装置は、外部装置から送信された前記加工情報を受信する受信手段を有し、前記加工情報記憶手段は、外部装置から送信された前記加工情報と当該加工情報の送信元となる前記外部装置の送信先を示す情報とを対応付けて記憶することを特徴とする請求項１３〜１６の何れかに記載の画像処理システム。
【手続補正１１】
【補正対象書類名】明細書
【補正対象項目名】００１９
【補正方法】変更
【補正の内容】
【００１９】
（請求項１９）前記画像処理装置は、前記外部装置から送信された前記加工情報と前記外部装置に対応する送信先を示す情報を受信する受信手段を有し、前記加工情報記憶手段は、前記外部装置から送信された前記加工情報と前記送信先を示す情報を対応付けて記憶することを特徴とする請求項１３〜１６の何れかに記載の画像処理システム。
（請求項２０）前記送信先を示す情報に基づいて、前記画像処理装置は前記加工画像データを外部へ送信することを特徴とする請求項１７〜１９の何れかに記載の画像処理システム。
【手続補正１２】
【補正対象書類名】明細書
【補正対象項目名】００２０
【補正方法】変更
【補正の内容】
【００２０】
（請求項２１）前記加工方法は、前記加工画像データのデータサイズが前記画像データのデータサイズより小さくなる加工であることを特徴とする請求項１３〜２０の何れかに記載の画像処理システム。
（請求項２２）前記加工方法は、前記画像データを圧縮するものであることを特徴とする請求項２１記載の画像処理システム。
【手続補正１３】
【補正対象書類名】明細書
【補正対象項目名】００２１
【補正方法】変更
【補正の内容】
【００２１】
（請求項２３）前記加工方法は、前記画像データの一部を抽出するものであることを特徴とする請求項２１記載の画像処理システム。
（請求項２４）前記加工方法は、前記画像データに基づく画像の解像度を下げるものであることを特徴とする請求項２１又は２２記載の画像処理システム。
【手続補正１４】
【補正対象書類名】明細書
【補正対象項目名】００２２
【補正方法】変更
【補正の内容】
【００２２】
（請求項２５）外部装置と、画像処理装置と、サーバと、該外部装置、該画像処理装置及びサーバを接続する接続手段とを有する画像処理システムであって、
前記画像処理装置は、画像データを記憶する画像データ記憶手段と、前記画像データに対する加工方法を決定する加工情報を記憶する加工情報記憶手段と、前記画像データ記憶手段に記憶された画像データを前記加工情報に対応する加工方法で加工して加工画像データを作成する画像データ加工手段と、前記加工画像データを前記サーバへ送信する送信手段とを有し、前記サーバは、前記加工画像データを記憶する加工画像データ記憶手段を有することを特徴とする画像処理システム。
（請求項２６）前記外部装置は、前記サーバに記憶された画像データを確認する画像データ確認手段を有することを特徴とする請求項２５記載の画像処理システム。
（請求項２７）前記外部装置は、画像データの送信を要求する画像データ送信要求手段を有し、前記画像処理装置は、外部装置から画像データの送信の要求に基づいて前記送信手段により当該画像データを当該外部装置へ送信することを特徴とする請求項２５又は２６記載の画像処理システム。
【手続補正１５】
【補正対象書類名】明細書
【補正対象項目名】００２３
【補正方法】変更
【補正の内容】
【００２３】
（請求項２８）前記画像処理装置は、原稿を読み取って前記画像データを生成する画像データ生成手段を有することを特徴とする請求項２５〜２７の何れかに記載の画像処理システム。
（請求項２９）前記画像処理装置は、前記加工画像データをプリントするプリント手段を有することを特徴とする請求項２５〜２８の何れかに記載の画像処理システム。
（請求項３０）前記加工方法は、前記加工画像データのデータサイズが前記画像データのデータサイズより小さくなる加工であることを特徴とする請求項２５〜２９の何れかに記載の画像処理システム。
【手続補正１６】
【補正対象書類名】明細書
【補正対象項目名】００２４
【補正方法】変更
【補正の内容】
【００２４】
（請求項３１）前記加工方法は、前記画像データを圧縮するものであることを特徴とする請求項３０記載の画像処理システム。
（請求項３２）前記加工方法は、前記画像データの一部を抽出するものであることを特徴とする請求項３０記載の画像処理システム。
（請求項３３）前記加工方法は、前記画像データに基づく画像の解像度を下げるものであることを特徴とする請求項３０又は３１記載の画像処理システム。
【手続補正１７】
【補正対象書類名】明細書
【補正対象項目名】００３８
【補正方法】変更
【補正の内容】
【００３８】
前記加工情報は、加工情報記憶手段１１に記憶されており、このとき、図２に示すように、電子メールアドレス（送信先を示す情報）と対応づけられて記憶されていることが好ましい。かかる加工情報記憶手段１１としては、例えば、ＨＤ、ＲＡＭ等の各種記憶装置を用いることができる。